(57)【要約】【課題】報知音の音量が大きく耳障りに感じたり、小さく感じたりすることが少なくなるようにする。【解決手段】撮像装置は、被写体を撮像する撮像手段と、撮影時に所定の音を発音部から出力する発音手段と、前記出力する音量を制御する音量制御手段と、自装置の姿勢を判定する姿勢判定手段と、撮影者が被写体を観察できるファインダと、前記ファインダを覗いている目が右目か左目かを判定する判定手段とを有し、前記判定手段による判定結果と、前記姿勢判定手段による判定結果とに基づき、前記所定の音の音量を制御する。【選択図】図１
2018113527.tif 000002
【特許請求の範囲】
【請求項１】
被写体を撮像する撮像手段と、
撮影時に所定の音を発音部から出力する発音手段と、
前記出力する音量を制御する音量制御手段と、
自装置の姿勢を判定する姿勢判定手段と、
撮影者が被写体を観察できるファインダと、
前記ファインダを覗いている目が右目か左目かを判定する判定手段と
を有し、
前記判定手段による判定結果と、前記姿勢判定手段による判定結果とに基づき、前記所定の音の音量を制御することを特徴とする撮像装置。
【請求項２】
撮影者がファインダを覗いていることを検出する接眼検出手段をさらに有し、
前記接眼検出手段が、撮影者がファインダを覗いていることを検出した場合に、前記自装置の姿勢判定と、撮影者が前記ファインダを覗いている目が右目か左目か判定を行い、前記所定の音の音量を制御することを特徴とする請求項１に記載の撮像装置。
【請求項３】
被写体の焦点状態を検出する焦点検出手段をさらに有し、
撮影時に前記発音部から出力される所定の音は、前記焦点検出手段によって被写体に合焦したことを検出した場合の、被写体に合焦したことを撮影者に報知するための合焦音であることを特徴とする請求項１に記載の撮像装置。
【請求項４】
操作部またはタッチパネル部の少なくとも一方と、表示装置をさらに有し、
前記ファインダを覗いている目が右目か左目かを判定する判定手段は、撮影者が前記ファインダを覗く目が右目か左目かを、前記操作部または前記タッチパネル部によって、前記撮像装置に対して入力した情報を元に判定することを特徴とする請求項１に記載の撮像装置。
【請求項５】
タッチパネル部を搭載した表示装置をさらに有し、
前記ファインダを覗いている目が右目か左目かを判定する判定手段は、前記接眼検出手段が、撮影者が前記ファインダを覗いていることを検出した場合に、撮影者の体の一部が、前記タッチパネル部に触れることによってタッチ検出をした位置により、前記ファインダを覗いている目が右目か左目か判定を行うことを特徴とする請求項１に記載の撮像装置。
【請求項６】
前記撮像手段とは異なる第二の撮像手段と、
前記第二の撮像手段で得られた画像から顔検出を行う顔検出手段と
をさらに有し、
前記第二の撮像手段で得られた、撮影者方向を撮像した画像から、前記顔検出手段により、撮影者の顔を検出し、
撮影者が前記撮像装置を、前記ファインダを覗く前の位置から、前記ファインダを覗く位置に移動した際の、前記顔検出手段により得られた、撮影者の顔の一部の近づき方から、前記ファインダを覗いている目が右目か左目か判定を行う
ことを特徴とする請求項１に記載の撮像装置。
【請求項７】
前記ファインダを覗いている目が右目か左目かを判定する判定手段は、前記ファインダ内の、前記ファインダを覗いている目が右目か左目かが判定可能な生体センサによって判定をすることを特徴とする請求項１に記載の撮像装置。
【請求項８】
被写体を撮像する撮像手段と、
撮影時に所定の音を発音部から出力する発音手段と、
前記出力する音量を制御する音量制御手段と、
自装置の姿勢を判定する姿勢判定手段と、
撮影者が被写体を観察できるファインダと、
前記ファインダを覗く目が右目か左目かを入力する入力手段と
を有し、
前記ファインダを覗く目が右目か左目かを入力した結果と、前記姿勢判定手段による判定結果とに基づき、前記所定の音の音量を制御することを特徴とする撮像装置。
【発明の詳細な説明】
【技術分野】
【０００１】
本発明は、撮影時に撮像装置から出力される音の制御に関する。
【背景技術】
【０００２】
撮像装置では、被写体にフォーカスが合ったことを撮影者に知らせるための合焦音などの報知音が、撮像装置の発音部から出力される。ファインダを覗いて撮影する際は、撮影者の耳と撮像装置の発音部の位置関係によっては、報知音の音量が大きく耳障りに感じたり、逆に小さく感じたりすることがある。これは、ファインダを覗く目が撮影者ごとに異なることにより、撮像装置の発音部から撮影者の耳までの距離が異なり、更には撮影する際の撮像装置の姿勢によって、報知音の聴こえ方が変わってくる。
【０００３】
特許文献１に記載された技術では、撮影者がファインダに接眼して撮影する場合と、ファインダに接眼せずに撮像装置から離れて撮影する場合とで、撮像装置から出力される音の音量を変更することができる。特許文献２に記載された技術では、携帯端末のスピーカ面が下を向いているか否かを判定し、その判定の結果によって、スピーカからの音声の出力態様を変更させることができる。
【先行技術文献】
【特許文献】
【０００４】
【特許文献１】特開２０１０−２６４５９号公報
【特許文献２】特開２００６−８６９６３号公報
【発明の概要】
【発明が解決しようとする課題】
【０００５】
特許文献１に記載された技術では、ファインダに接眼して撮影する際の、撮影者の耳と撮像装置の発音部の位置関係によって生じる、報知音の聴こえ方の違いに対する問題は解決されていない。特許文献２に記載された技術では、自装置の姿勢しか考慮していない。
【０００６】
そこで、本発明は、ファインダに接眼して撮影する際に、撮影者の耳と撮像装置の発音部の位置関係によって、報知音の音量が大きく耳障りに感じたり、小さく感じたりすることが少なくなるようにすることを目的とする。
【課題を解決するための手段】
【０００７】
上記目的を達成するために、本発明に係る撮像装置の一つは、被写体を撮像する撮像手段と、撮影時に所定の音を発音部から出力する発音手段と、前記出力する音量を制御する音量制御手段と、自装置の姿勢を判定する姿勢判定手段と、撮影者が被写体を観察できるファインダと、前記ファインダを覗いている目が右目か左目かを判定する判定手段とを有し、前記判定手段による判定結果と、前記姿勢判定手段による判定結果とに基づき、前記所定の音の音量を制御することを特徴とする。
【０００８】
上記目的を達成するために、本発明に係る撮像装置の一つは、被写体を撮像する撮像手段と、撮影時に所定の音を発音部から出力する発音手段と、前記出力する音量を制御する音量制御手段と、自装置の姿勢を判定する姿勢判定手段と、撮影者が被写体を観察できるファインダと、前記ファインダを覗く目が右目か左目かを入力する入力手段とを有し、前記ファインダを覗く目が右目か左目かを入力した結果と、前記姿勢判定手段による判定結果とに基づき、前記所定の音の音量を制御することを特徴とする。
【発明の効果】
【０００９】
本発明によれば、ファインダに接眼して撮影する際に、撮影者の耳と撮像装置の発音部の位置関係によって、報知音の音量が大きく耳障りに感じたり、小さく感じたりすることが少なくなるようにすることができる。
【図面の簡単な説明】
【００１０】
【図１】撮像装置１００の構成の一例を説明するためのブロック図である。
【図２】撮像装置１００の俯瞰図である。
【図３Ａ】ファインダ５０を覗く目を判定する方法の一例を示す図である。
【図３Ｂ】ファインダ５０を覗く目を判定する方法の他の例を示す図である。
【図３Ｃ】ファインダ５０を覗く目を判定する方法の他の例を示す図である。
【図４】撮像装置１００が水平の姿勢の場合における、ファインダ５０を覗く目の違いによる、撮像装置１００の発音部から撮影者の耳までの距離の違いを示す図である。
【図５】ファインダ５０を覗く目と撮像装置１００の姿勢との組み合わせによって報知音の音量を制御する方法を説明するためのフローチャートである。
【図６】ファインダ５０を覗く目と撮像装置１００の姿勢との組み合わせによって報知音の音量を制御する場合分けの例を示す図である。
【図７】ファインダ５０を覗く目と撮像装置１００の姿勢との組み合わせによって制御する報知音の音量の設定値の例を示す図である。
【発明を実施するための形態】
【００１１】
以下、図面を参照して本発明の実施形態を説明する。ただし、本発明の実施形態は以下の実施形態に限定されるものではない。
［実施形態１］
図１は、実施形態１における撮像装置１００（例：カメラ）の構成の一例を説明するためのブロック図である。レンズユニット２００は交換レンズタイプであり、マウント部１０１及びマウント部２０１を介して、撮像装置１００と電気的に接続される。
【００１２】
静止画撮影を行う場合、レンズユニット２００を介して撮像装置１００に入射した被写体からの光束の大部分は、クイックリターンミラー１０で上方に反射される。これにより、被写体像はファインダスクリーン３０上に結像され、撮影者はこの像をペンタプリズム４０、ファインダ（接眼レンズ）５０を介して観察することができる。図２（ａ）は撮像装置１００を撮影者側から見た図である。この時、撮影者がファインダ５０を覗いているか否かを、図２（ａ）に示すファインダ５０の周囲にある接眼センサ１１７によって検出することができる。
【００１３】
一方、光束の一部はクイックリターンミラー１０を透過し、後方のサブミラー２０で下方へ曲げられ、焦点検出部１１０上に結像する。焦点検出部１１０は像信号を生成し、ＣＰＵ１１５は、この像信号の位相差を検出することにより、被写体の焦点状態を検出することができる。
【００１４】
撮像装置１００のフォーカスモードがオートフォーカス（ＡＦ）モード設定となっている場合、撮影者によってレリーズスイッチ１１８が半押しされると、ＣＰＵ１１５は、焦点検出部１１０により得られた焦点状態に基づいて、レンズユニット２００内の撮像レンズ（不図示）を合焦位置に駆動するようにレンズユニット２００を制御する。図２（ｂ）は撮像装置１００を正面左側から見た図である。被写体に合焦すると、合焦したことを撮影者に報知する合焦音が、図２（ｂ）に示す音孔１３５の下に配置されているスピーカ等の発音部１２５から出力される。
【００１５】
レリーズスイッチ１１８が全押しされ、静止画撮影が指示されると、クイックリターンミラー１０及びサブミラー２０が跳ね上がり、シャッター１１１が開いて、被写体からの光束が撮像センサ１１２上に結像する。撮像センサ１１２は結像された光束を電気信号に変換し、アナログフロントエンド（ＡＦＥ）１１３に出力する。ＡＦＥ１１３は撮像センサ１１２から出力された電気信号から出力ノイズを除去するＣＤＳ回路やＡ／Ｄ変換前に増幅処理を行う非線形増幅回路、Ａ／Ｄ変換を行うＡ／Ｄ変換回路等を含み、デジタル信号に変換した画像信号を画像処理部１１４に出力する。
【００１６】
画像処理部１１４では、ＡＦＥ１１３から出力された画像信号にガンマ変換等の所定の画像処理を施し、記録用や表示用のフォーマットに変換した画像データを生成し、出力する。
【００１７】
次に、ファインダ５０を覗く目を判定する方法について説明する。図３Ａは、ファインダ５０を覗く目を撮像装置１００で設定する画面の一例である。撮像装置１００の電源起動時などに、撮影者は表示装置１３０に表示されたガイダンスに従い、操作部１１９やタッチパネル部１２２からファインダ５０を覗く目を予め設定する。設定されたファインダ５０を覗く目の情報は、メモリ部１２３に保存される。保存された、ファインダ５０を覗く目の情報は、メニューの中から設定し直すことができてもよく、複数の撮影者のファインダ５０を覗く目の情報を設定し、メモリ部１２３に記憶することができて、撮影時にその設定情報が呼び出せて、選択できてもよい。
【００１８】
ファインダ５０を覗く目を判定する方法は、上記の方法に限られたものではない。例えば、別の方法を図３Ｂに示す。１３０はタッチパネル機能付の液晶ディスプレイ型表示装置であり、表示部１２０、バックライト部１２１及びタッチパネル部１２２により構成される。撮影者が撮影のためにファインダ５０を覗くと、接眼センサ１１７は撮影者がファインダ５０に接眼していることを検出し、表示部１２０の表示及びバックライト部１２１のバックライトを消灯するがタッチパネル部１２２のタッチスキャン動作は継続する。撮影者がファインダ５０に接眼していることにより、撮影者の鼻や頬がタッチパネル部１２２に触れ、タッチパネル部１２２はタッチ検出をする。
【００１９】
この時、ファインダ５０を覗く目が右目か左目かで、タッチパネル部１２２に撮影者の鼻や頬が触れる位置が異なり、タッチ検出をする位置が異なるため、この違いによって、ファインダ５０を覗いている目が右目か左目かを判定する。
【００２０】
更に、ファインダ５０を覗く目を判定する別の方法を図３Ｃに示す。１４０は撮像装置１００の撮影者側に設けられたサブカメラであり、撮影者側を広角で撮影が可能である。サブカメラ１４０で撮影された画像から、撮影者の顔を検出し、撮影者が撮像装置１００を、ファインダ５０を覗く前の位置から、ファインダ５０を覗くまで移動させた際の、撮影者の顔やその一部の近づき方により、ファインダ５０を覗いている目が右目か左目かを判定する。
【００２１】
その他に、ファインダ５０を覗く目を判定する方法として、ファインダ５０内に設けた生体センサにより、ファインダ５０を覗いている目が右目か左目かを判定してもよい。
【００２２】
図４は、ファインダ撮影時の、ファインダ５０を覗く目の違いによって生じる、撮像装置１００の撮影者側から見て左側面にある発音部１２５から撮影者の耳の位置までの距離の違いを示したものである。ファインダ５０を覗く目が左目の場合、撮像装置１００の撮影者側から見て左側面にある発音部１２５から、撮影者の耳までの距離が近いため、合焦音などの報知音の音量は大きく聴こえる。これに対し、ファインダ５０を覗く目が右目の場合、撮像装置１００の撮影者側から見て左側面にある発音部１２５から、撮影者の耳までの距離は、ファインダ５０を覗く目が左目の場合より離れているため、合焦音などの報知音の音量は、ファインダ５０を覗く目が左目の場合より小さく聴こえる。
【００２３】
実施形態１における、報知音の音量制御方法を、図５のフローチャートと、図６を参照しながら説明する。図６に示すように、ここでは発音部１２５は撮像装置１００の撮影者側から見て左側面にあるとする。撮像装置１００の撮影準備状態において、撮影者が撮影のためにファインダ５０を覗くと、接眼センサ１１７によって、撮影者がファインダ５０に接眼している状態であることを検出し、レリーズスイッチ１１８を半押しする（Ｓ１０１）と、被写体への合焦動作に移る（Ｓ１０２）。
【００２４】
被写体に合焦すると、先に述べたファインダ５０を覗く目の判定方法により、ファインダ５０を覗いている目を判定する（Ｓ１０３）。例えば、図３Ａで示したような、予め撮影者によって設定された、ファインダ５０を覗く目の設定情報を用いる場合は、メモリ部１２３からファインダ５０を覗く目の設定情報を呼び出して、ファインダ５０を覗いている目を判定する。その後、撮像装置１００内の姿勢判定部１２４により、撮像装置１００が水平なのか、発音部が下なのか、発音部が上なのかを判定する（Ｓ１０４）。
【００２５】
判定した、ファインダ５０を覗いている目と、撮像装置１００の姿勢との組み合わせにより、報知音の音量を３段階で制御する。ファインダ５０を覗いている目が右目で、撮像装置１００の姿勢が水平の場合、発音部１２５から撮影者の耳までの距離が中距離のため、報知音の音量を中レベルに制御する（Ｓ１０５）。ファインダ５０を覗いている目が右目で、撮像装置１００の姿勢が、発音部が下の場合、発音部１２５から撮影者の耳までの距離が近距離のため、報知音の音量を小レベルに制御する（Ｓ１０６）。
【００２６】
ファインダ５０を覗いている目が右目で、撮像装置１００の姿勢が、発音部が上の場合、発音部１２５から撮影者の耳までの距離が遠距離のため、報知音の音量を大レベルに制御する（Ｓ１０７）。同様に、ファインダ５０を覗いている目が左目と判定した後、撮像装置１００内の姿勢判定部１２４により、撮像装置１００が水平なのか、発音部が下なのか、発音部が上なのかを判定する（Ｓ１０８）。
【００２７】
その後、ファインダ５０を覗く目が左目で、撮像装置１００の姿勢が水平の場合、発音部から撮影者の耳までの距離が近距離のため、報知音の音量を小レベルに制御する（Ｓ１０９）。ファインダ５０を覗いている目が左目で、撮像装置１００の姿勢が、発音部が下の場合、発音部１２５から撮影者の耳までの距離が中距離のため、報知音の音量を中レベルに制御する（Ｓ１１０）。ファインダ５０を覗いている目が左目で、撮像装置１００の姿勢が、発音部が上の場合、発音部１２５から撮影者の耳までの距離が遠距離のため、報知音の音量を大レベルに制御する（Ｓ１１１）。
【００２８】
このように、ファインダ５０を覗いている目の判定結果と、撮像装置１００の姿勢の判定結果との組み合わせで報知音の音量を制御した上で、報知音の出力を行う（Ｓ１１２）。
【００２９】
なお、実施形態１では、撮像装置１００に配置する発音部１２５の位置を、撮像装置１００の撮影者側から見て左側面としたが、この条件に限られるものではなく、撮像装置１００の右側面や中央側に配置されていてもよく、発音部１２５の配置と撮影者の耳までの距離に応じた報知音量の制御のための設定値を持っていればよい。図７に示した設定値は、発音部１２５が撮像装置１００の撮影者側から見て左側面に配置されている場合を示す。
【００３０】
また、ファインダ５０を覗いている目の判定方法は、ファインダ５０を覗いている目が判定できればよく、上記に限られるものではない。更にこれらの、ファインダ５０を覗いている目の判定方法を複数用いて判定してもよい。また、実施形態１では、ＡＦ手段は、焦点検出部１１０から出力される被写体の像信号の位相差を評価することにより焦点状態を検出し、ＡＦを行う手段を示したが、実施形態１はこれに限られるものではなく、焦点状態を検出できれば、撮像面でのＡＦ手段を用いてもよい。
【００３１】
同様に、実施形態１では、ファインダ５０で観察できる被写体は、光学的に観察できる例を示したが、実施形態１はこれに限られるものではなく、電子ビューファインダ等、撮影したい被写体を観察可能なファインダであればよい。また、実施形態１では、撮像装置１００の発音部１２５から出力される音を、合焦音としたが、実施形態１はこれに限られるものではなく、ファインダ撮影時に出力される音であればよい。
【００３２】
また、実施形態１では、撮像装置１００のレンズユニット２００が交換可能なレンズユニットである場合を説明したが、実施形態１はこれに限られるものではなく、レンズユニット２００は撮像装置１００と一体化されているものであってもよい。また、実施形態１では、報知音の音量制御の段階を３段階としたが、実施形態１はこれに限られるものではなく、複数段階設定できれば、３段階以上でも、３段階以下でもよい。
【００３３】
なお、本発明は上述の実施形態に限定されるものではなく、その要旨の範囲内で種々の変形または変更が可能である。
【符号の説明】
【００３４】
１００  撮像装置
２００  レンズユニット
５０  ファインダ（接眼レンズ）
１１０  焦点検出部
１１５  ＣＰＵ
１１７  接眼センサ
１１８  レリーズスイッチ
１２４  姿勢判定部
１２５  発音部
【図１】
2018113527.tif 000003
【図２】
2018113527.tif 000004
【図３Ａ】
2018113527.tif 000005
【図３Ｂ】
2018113527.tif 000006
【図３Ｃ】
2018113527.tif 000007
【図４】
2018113527.tif 000008
【図５】
2018113527.tif 000009
【図６】
2018113527.tif 000010
【図７】
2018113527.tif 000011